(57)【要約】【課題】  容易に洗浄でき、室内犬などが噛み付いたりして遊ぶことを考慮して、それに対応できる犬猫ペットの糞尿処理具を提供する。【解決手段】  底壁１１と前壁１２と側壁１３を有する外受具１０と、底板２１と後板２２と側板２３を有する内受具２０とで構成し、両者を重合して前後方向に伸縮自在かつ着脱自在に組付けて略皿状の受具本体１を形成する。側壁１３の内面に、対向する側板２３が侵入するガイド板１５を設ける。底壁１１に、その末端部をストッパー部２５として残して前後方向の案内溝２４を形成し、底板２１に、案内溝２４に侵入位置する突起１４を設ける。前壁１２、側壁１３、後板２２および側板２３を外方に広がる傾斜面とし、傾斜面の任意の内外面に設けた四角貫通孔状収納部４に平板長尺状の蓄光体３を挿脱可能に挿入しビス状係止具５で抜止めする。そして、受具本体１の底面に吸液シート２を敷設する。【選択図】      図１
0003120662.tif 000002
【実用新案登録請求の範囲】
【請求項１】
矩形状である底壁（１１）の前端部に前壁（１２）を立設すると共に，両側端部に側壁（１３）を立設した外受具（１０）と、同じく矩形状である底板（２１）の後端部に後板（２２）を立設すると共に，両側端部に側板（２３）を立設した内受具（２０）とを設け、前記外受具と内受具を重合して前後方向に伸縮自在かつ着脱自在に組付けて略皿状の受具本体（１）を形成し、前記側壁または側板の内面に，対向する側板または側壁を侵入位置させて前後方向の伸縮をガイドすると共に，該側板または側壁の離脱を阻止する略Γ状のガイド板（１５）を設け、前記底壁または底板に，その末端部をストッパー部（２５）として残して前後方向の案内溝（２４）を一つまたは複数形成し、前記底板または底壁に，前記案内溝のそれぞれに侵入位置する突起（１４）を設け、前記前壁，側壁，後板および側板を外方に広がる傾斜面とし，前記傾斜面の任意の内外面に設けた四角貫通孔状収納部（４）に蓄光物質で形成した平板長尺状の蓄光体（３）を挿脱可能に挿入し係止具（５）で抜止めし、前記受具本体の底面に，防水シート（２ｂ）の上面に液体吸収シート（２ａ）を固着した吸液シート（２）を敷設してなる犬猫ペットの糞尿処理具。
【請求項２】
少なくとも、前壁（１２）と後板（２２）の内面に、吸液シート（２）の端部を下から滑り込ませて、該前壁または後板との間で挟持する略Γ状の挟持片（Ｇ）を形成してなる請求項１、２または３に記載の犬猫ペットの糞尿処理具。
【請求項３】
前壁（１２）と後板（２２）に、該前壁と後板の外方に延びる取手（Ｈ）を設けてなる請求項１または２に記載の犬猫ペットの糞尿処理具。
【考案の詳細な説明】
【技術分野】
【０００１】
本考案は、主として、室内に設置して、ペットであるあらゆる大きさの室内犬や猫の糞尿を、衛生的かつ容易に処理するための処理具に関するものである。
【背景技術】
【０００２】
マルチーズやプードルなどの主として室内で飼育される各種の室内犬や猫は、一般に、夜、室内で運動し、早朝に排泄する。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで処理している。
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
こうした犬や猫の糞尿を処理する道具としては、これまでに携帯用のトイレが創案されている（例えば、特許文献１参照）。従って、これを室内に設置して使用することも可能ではある。
【特許文献１】実開平７−３４６５２号公報
【考案の開示】
【考案が解決しようとする課題】
【０００６】
しかし、この携帯用トイレは、その大きさが不変であるため、例えば、子犬のときは使用し易い大きさであったが、成犬になるにつれて大きさが不足してしまい、床などに漏れてしまう等の大きな問題がある。
【０００７】
また、室内に設置するトイレは、常に、清潔に保つ必要があり、よって、容易に洗浄できる構成である必要がある。
【０００８】
さらには、室内犬や猫はトイレに噛み付いたりするなどして乱暴に遊ぶこともあるため、そうした事態にも対応できる構成である必要もある。
【０００９】
本考案はこうした問題に鑑み創案されたもので、衛生的で、処理作業が容易で、真っ暗闇の中でも正確な場所に排泄することができ、また、室内犬や猫の大きさに対応してそのサイズを自在に調整することができ、さらには、容易に洗浄できる構成であり、またさらには、室内犬などが噛み付いたりして遊ぶことを考慮して、それに対応できる構成である犬猫ペットの糞尿処理具を提供することを課題とする。
【課題を解決するための手段】
【００１０】
図１乃至図１４を参照して説明する。請求項１に記載の犬猫ペットの糞尿処理具は、矩形状である底壁１１の前端部に前壁１２を立設すると共に、両側端部に側壁１３を立設した外受具１０と、同じく矩形状である底板２１の後端部に後板２２を立設すると共に、両側端部に側板２３を立設した内受具２０とで構成し、前記外受具１０と内受具２０を重合して前後方向に伸縮自在かつ着脱自在に組付けて略皿状の受具本体１を形成している。
【００１１】
また、前記側壁１３または側板２３の内面に、対向する側板２３または側壁１３を侵入位置させて前後方向の伸縮をガイドすると共に、当該側板２３または側壁１３の離脱を阻止する略Γ状のガイド板１５を設けている。
【００１２】
また、前記底壁１１または底板２１に、その末端部をストッパー部２５として残して前後方向の案内溝２４を一つまたは複数形成し、前記底板２１または底壁１１に、前記案内溝２４のそれぞれに侵入位置する突起１４を設けている。
【００１３】
また、前記前壁１２、側壁１３、後板２２および側板２３を外方に広がる傾斜面とし、前記傾斜面の任意の内外面に設けた四角貫通孔状収納部４に蓄光物質で形成した平板長尺状の蓄光体３を挿脱可能に挿入し係止具５で抜止めしている。さらに、前記受具本体１の底面に、防水シート２ｂの上面に液体吸収シート２ａを固着した吸液シート２を敷設している。
【００１４】
請求項２に記載の犬猫ペットの糞尿処理具は、請求項１に記載の考案において、少なくとも、前壁１２と後板２２の内面に、吸液シート２の端部を下から滑り込ませて、当該前壁１２または後板２２との間で挟持する略Γ状の挟持片Ｇを形成している。
【００１５】
請求項３に記載の犬猫ペットの糞尿処理具は、請求項１または２に記載の考案において、前壁１２と後板２２に、当該前壁１２と後板２２の外方に延びる取手Ｈを設けている。
【考案の効果】
【００１６】
請求項１に記載の考案は、略皿状の受具本体１を、外受具１０と内受具２０を重合して前後方向に伸縮自在に組付けて構成したので、必要に応じて伸縮させてサイズを調整することにより、大型、中型および小型の室内犬や猫の糞尿を床などに漏らすことなく受けることができる。また、例えば、子犬が成長して成犬になる間、当該糞尿処理具を徐々に伸長しながら使用することができるので、一つの糞尿処理具で対応することができる。
【００１７】
また、外受具１０と内受具２０を着脱自在としているので、両者を離脱させることによって、それぞれを隅々まで容易に洗浄することができる。
【００１８】
また、側壁１３または側板２３の内面にガイド板１５を設け、それらに対向する側板２３または側壁１３を侵入位置させているので、外受具１０と内受具２０の前後方向の伸縮を円滑に行うことができる。また、これにより、外受具１０と内受具２０の組付きが強くなり、室内犬や猫がこの糞尿処理具に乱暴に噛み付いたり、その上で乱暴に動いたりしても、当該外受具１０と内受具２０は離脱することなく、正常な組付き姿勢をそのまま維持する。
【００１９】
なお、受具本体１の伸縮は、一つまたは複数の突起１４と案内溝２４によってガイドされ、突起１４がストッパー部２５に当接することによってそれ以上の伸長が阻止される。
【００２０】
また蓄光体３を、外方に広がる傾斜面とした前壁１２、側壁１３、後板２２および側板２３の任意の内外面に設けた四角貫通孔状収納部４に蓄光物質で形成した平板長尺状の蓄光体３を挿脱可能に挿入し係止具５で抜止めしたので、当該蓄光物質は前壁１２等によってやや覆われて隠れた状態となる。従って、室内犬や猫が、この蓄光体３に噛み付いて損傷させるといった行為を防止することができる。
【００２１】
また、この蓄光体３は発光するので、室内犬や猫は、真っ暗闇の中でも正確に吸液シート２の上に排泄することができる。なお、蓄光体３を前壁１２等の外面に設けているが、犬や猫は目線が低い（１５ｃｍ程度）ので、当該蓄光体３を容易に視認することができる。
【００２２】
なお、蓄光体３を形成する蓄光物質とは、明るいとき吸収した光を、暗くなると発光する物質を言い、原料は鉱石で、製品状態では液状、粉状あるいは粒状を成す。
【００２３】
また、犬猫の糞尿は、吸液シート２の液体吸収シート２ａが吸収し、かつ、防水シート２ｂによって吸収した糞尿が漏れ出るのを防止する。さらに、汚れた吸液シート２を新たなものと交換することで糞尿を処理することができるので、衛生的であり、処理作業も容易である。そして外受具１０と内受具２０とを分離して洗うことができる。
【００２４】
また、蓄光体３が汚れて光が弱くなったときには、ビス状係止具５を外し、蓄光体３３を抜き取り、四角貫通状収納部４を洗ったり、蓄光体３を洗ったりすることが出来る。
【００２５】
請求項２に記載の考案は、請求項１に記載の考案と同様の効果を発揮すると共に、少なくとも、前壁１２と後板２２の内面に略Γ状の挟持片Ｇを設けたので、吸液シート２の端部を下から滑り込ませて、当該前壁１２および後板２２との間で挟持することができる。従って、室内犬や猫が吸液シートを噛んだり、あるいはその上で乱暴に動いても、当該吸液シートは正常な姿勢を維持することができる。
【００２６】
請求項３に記載の考案は、請求項１および２に記載の考案と同様の効果を発揮すると共に、前壁１２と後板２２に取手Ｈを設けたので、手を汚すことなく、受具本体１を伸縮することができる。すなわち、前壁１２、側壁１３、後板２２および側板２３は、糞尿によって汚れる場合が多く、その場合、前壁１２などを持って受具本体１を伸縮すると手が汚れてしまうが、取手Ｈは前壁１２および後板２２の外方に延びるように設けているので、糞尿によって汚れない。従って、当該取手Ｈを持って受具本体１を伸縮させても手を汚すことがない。
【００２７】
なお、請求項１乃至３に記載の考案は、上記した効果の他に、受具本体１を伸縮させることができるので、搬送時は、伸長時のほぼ半分に収縮させることができ、当該搬送を容易に行うことができるといった利点がある。
【考案を実施するための最良の形態】
【００２８】
本考案に係る犬猫ペットの糞尿処理具の実施形態を、図１乃至図１４に示す。この糞尿処理具は、受具本体１と吸液シート２とで構成される。受具本体１は、ほぼ正方形である底壁１１の前端部に前壁１２を立設すると共に、両側端部に側壁１３を立設した外受具１０と、同じくほぼ正方形で、かつほぼ同じ大きさの底板２１の後端部に後板２２を立設すると共に、両側端部に側板２３を立設した内受具２０とを具備する。
【００２９】
そして、外受具１０と内受具２０を、前者を外側（下側）にして重合し、前後方向に伸縮自在かつ着脱自在に組付けて略皿状としている。この組付けは、側壁１３の内面に、対向位置する側板２３を侵入位置させて前後方向の伸縮をガイドすると共に、当該側板２３（内受具２０）の離脱を阻止する略Γ状のガイド板１５を設けて行っている。なお、本実施形態では、外受具１０と内受具２０を着脱自在とするために、それらを、人手によって容易に弾性変形させることのできる合成樹脂で成形している。
【００３０】
なお、本実施形態では、外受具１０と内受具２０を伸長した状態における前後方向の長さを６００ｍｍ程度とし、収縮した状態で３００ｍｍ程度に設定している。また、左右の幅は約４５０ｍｍ程度としている。前壁１２、側壁１３、後板２２および側板２３の高さは、２０ｍｍ〜４０ｍｍとしている。なお、これらの長さは限定されない。
【００３１】
また、この受具本体１は、内受具２０の底板２１の下面に、その末端部（外受具１０側）をストッパー部２５として残して前後方向の案内溝２４を二つ形成し、外受具１０の底壁１１に、対応する案内溝２４に侵入位置する突起１４を二つ立設している。なお、これに代えて、内受具２０の底板２１の下面から突起１４を垂下設し、外受具１０の底壁１１の上面に案内溝２４を設けても良い。また、この突起１４と案内溝２４の数や形成位置は、限定されない。
【００３２】
さらに、本実施形態では、前壁１２、側壁１３、後板２２および側板２３を外方に広がる傾斜面とし、該傾斜面の任意の内外面に設けた四角貫通孔状収納部４に蓄光物質で形成した平板長尺状の蓄光体３を挿脱可能に挿入しビス状係止具５で抜止めしている。この蓄光体３は、蓄光塗料や蓄光粉末を混ぜて作った柔軟性のある（または硬質性の）シートであり、それを長尺状の平板四角筒形状で少なくとも前面に透明部４ａを有する収納体４に収納して設けている（図１３参照）。蓄光体３はビス状係止具５によって収納部４に取付けられているので、輸送中等に抜けて外れることがない。また蓄光体３が汚れて光が弱くなったときには、係止具５を外し、蓄光体３や収納部４を掃除することが出来る。
【００３３】
また、本実施形態では、前壁１２と後板２２の内面に、吸液シート２の端部を下から滑り込ませて、当該前壁１２または後板２２との間で挟持する略Γ状の挟持片Ｇを形成している（図１１参照）。この挟持片Ｇには、吸液シート２を強固に保持するために係止突起部Ｇ１を突設している。さらに、前壁１２と後板２２に、当該前壁１２と後板２２の外側上方に延びる取手Ｈを突設している。この取手Ｈは、人の指を容易に侵入させることのできる断面湾曲状としている（図１２参照）。
【００３４】
そして、受具本体１の底面に、防水シート２ｂの上面に液体吸収シート２ａを固着した吸液シート２を敷設している。
【００３５】
本実施形態に係る犬猫ペットの糞尿処理具は、略皿状の受具本体１を、外受具１０と内受具２０を重合して前後方向に伸縮自在に組付けて構成しているので、必要に応じて伸縮させてサイズを調整し、大型、中型および小型のあらゆる大きさの室内犬や猫の糞尿を床などに漏らすことなく受けることができる。また、例えば、子犬が成長して成犬になる間中、当該糞尿処理具を徐々に伸長しながら使用することができるので、サイズの異なる他種類の処理具を揃える必要がなく、一つの糞尿処理具で対応することができる。
【００３６】
また、外受具１０と内受具２０を着脱自在としているので、両者を離脱させることによって隅々まで容易に洗浄することができる。
【００３７】
また、側壁１３の内面にガイド板１５を設け、それに対向する側板２３を侵入位置させているので、外受具１０と内受具２０の前後方向の伸縮を円滑に行うことができる。また、これにより、外受具１０と内受具２０の組付きを強固なものとし、室内犬や猫がこの糞尿処理具に乱暴に噛み付いたりしても、離脱することなく正常な組付き姿勢を維持するようにしている。
【００３８】
なお、受具本体１の伸縮は、二つの突起１４と案内溝２４によってガイドされ、突起１４がストッパー部２５に当接することによってそれ以上の伸長が阻止される
【００３９】
また蓄光体３を、外方に広がる傾斜面とした側壁１３の外面に設け、かつ、平板状としたので、当該蓄光物質は当該側壁１３によってやや覆われて隠れた状態となる。従って、室内犬や猫が、この蓄光体３に噛み付くといった行為を未然に阻止し、当該糞尿処理具の損傷を防止することができる。なお、この蓄光体３は、前壁１２および後板２２の外面、さらには、取手Ｈやガイド板１５の内面側にも必要に応じて設けることができる。
【００４０】
この蓄光体３を設けたことによって、室内犬や猫は、当該蓄光体から発せられる光を視認して当該糞尿処理具の位置を確認できるので、真っ暗闇の中でも正確な場所（吸液シート２の上）に排泄することができる。
【００４１】
また、前壁１２と後板２２の内面に略Γ状の挟持片Ｇを設けているので、吸液シート２の端部を下から滑り込ませて、当該前壁１２および後板２２との間で挟持することができる。従って、室内犬や猫が吸液シートを噛んだり、あるいはその上で乱暴に動いても、当該吸液シートはずれることなく正常な姿勢を維持する。
【００４２】
また、犬猫の糞尿は、吸液シート２の液体吸収シート２ａで吸収し、かつ、防水シート２ｂで吸収した糞尿の漏出を防止し、汚れた吸液シート２を新たなものと交換することで糞尿を処理するので、衛生的であり、処理作業も容易である。
【００４３】
また、本実施形態では、前壁１２と後板２２に、それらの外方に延びる取手Ｈを設けているので、手を汚すことなく、受具本体１を伸縮させることができる。
【００４４】
また、この糞尿処理具は、受具本体１を自在に伸縮させることができるので、搬送時は収縮させて、当該搬送を容易なものとすることができる。なお、当該糞尿処理具に鮮やかな色彩を付して装飾性を現出させることはできるが、犬や猫は色盲であるため、必ずしも必要ではない。
【図面の簡単な説明】
【００４５】
【図１】本考案に係る犬猫ペットの糞尿処理具の実施形態を示す平面図である（外受具と内受具を収縮させた状態）。
【図２】図１のＫ視立面図である。
【図３】図１に示す糞尿処理具を伸長した状態を示す平面図である。
【図４】図３のＬ視立面図である。
【図５】図１に示す糞尿処理具の外受具を示す平面図である（内受具から離脱した状態）。
【図６】図５のＭ視立面図である。
【図７】図５のＮ視立面端面図である。
【図８】図１に示す糞尿処理具の内受具を示す平面図である（外受具から離脱した状態）。
【図９】図８のＰ視立面図である。
【図１０】図８のＱ視立面図である。
【図１１】図１のＸ−Ｘ線断面図である。
【図１２】図１のＹ−Ｙ線断面図である。
【図１３】図２のＺ−Ｚ線断面図である。
【図１４】本考案に係る犬猫ペットの糞尿処理具の吸液シートの実施形態を示す斜視図である。
【符号の説明】
【００４６】
１        受具本体
２        吸液シート
２ａ      液体吸収シート
２ｂ      防水シート
３        蓄光体
４        収納部
４ａ      透明部
５        ビス状係止具
１０      外受具
１１      底壁
１２      前壁
１３      側壁
１４      突起
１５      ガイド板
２０      内受具
２１      底板
２２      後板
２３      側板
２４      案内溝
２５      ストッパー部
Ｈ        取手
Ｇ        挟持片
Ｇ１      係止突起部
【図１】
0003120662.tif 000003
【図２】
0003120662.tif 000004
【図３】
0003120662.tif 000005
【図４】
0003120662.tif 000006
【図５】
0003120662.tif 000007
【図６】
0003120662.tif 000008
【図７】
0003120662.tif 000009
【図８】
0003120662.tif 000010
【図９】
0003120662.tif 000011
【図１０】
0003120662.tif 000012
【図１１】
0003120662.tif 000013
【図１２】
0003120662.tif 000014
【図１３】
0003120662.tif 000015
【図１４】
0003120662.tif 000016
【手続補正書】
【提出日】平成18年2月2日(2006.2.2)
【手続補正１】
【補正対象書類名】実用新案登録請求の範囲
【補正対象項目名】請求項２
【補正方法】変更
【補正の内容】
【請求項２】
少なくとも、前壁（１２）と後板（２２）の内面に、吸液シート（２）の端部を下から滑り込ませて、該前壁または後板との間で挟持する略Γ状の挟持片（Ｇ）を形成してなる請求項１に記載の犬猫ペットの糞尿処理具。